(57)【特許請求の範囲】
【請求項１】
搬送される被読取媒体の画像を読取る画像読取装置の筐体であって、前記被読取媒体に照射する光を透過する平板状の透過体と、前記被読取媒体の搬送方向と平行する面で前記透過体に対して複数の突起部で当接された前記透過体を取り囲むように配置した枠体とを備え、前記透過体と前記枠体とは、搬送方向と平行する面が平坦面に押圧された状態で、前記透過体と前記突起部を除く前記枠体との隙間に接着剤が充填された画像読取装置の筐体。
【請求項２】
搬送される被読取媒体の画像を読取る画像読取装置の筐体であって、前記被読取媒体の搬送方向に平坦面を有し前記被読取媒体に照射する光を透過する透過領域を有する板材と、前記被読取媒体の搬送方向と平行する面で前記板材に対して複数の突起部で当接された前記板材を取り囲むように配置した枠体とを備え、前記板材と前記枠体とは、搬送方向と平行する面が平坦面に押圧された状態で、前記板材と前記突起部を除く前記枠体との隙間に接着剤が充填された画像読取装置の筐体。
【請求項３】
搬送される被読取媒体の画像を読取る画像読取装置の筐体であって、前記被読取媒体の搬送方向に平坦面を有する板材と、前記被読取媒体の搬送方向と平行する面で前記板材に対して複数の突起部で当接された前記板材を取り囲むように配置した枠体とを備え、前記板材と前記枠体とは、搬送方向と平行する面が平坦面に押圧された状態で、前記板材と前記突起部を除く前記枠体との隙間に接着剤が充填された画像読取装置の筐体。
【請求項４】
搬送される被読取媒体の画像を読取る画像読取装置の筐体の製造方法であって、前記被読取媒体に照射する光を透過する平板状の透過体及びこの透過体を取り囲み搬送方向と平行する面で前記透過体に対して複数の突起部で当接した枠体の前記搬送方向と平行する面を平坦面に載置する載置工程と、前記透過体と前記枠体とを前記平坦面に押圧する圧縮工程と、前記平坦面に押圧された状態で前記透過体と前記突起部を除く前記枠体との隙間に接着剤を充填し接合する接合工程と、接合された前記透過体と前記枠体とを前記平坦面から係脱する仕上がり工程とを備えた画像読取装置の筐体の製造方法。
【請求項５】
搬送される被読取媒体の画像を読取る画像読取装置の筐体の製造方法であって、前記被読取媒体の搬送方向に平坦面を有し前記被読取媒体に照射する光を透過する透過領域を有する板材及びこの板材を取り囲み搬送方向と平行する面で前記板材に対して複数の突起部で当接した枠体の前記搬送方向と平行する面を平坦面に載置する載置工程と、前記板材と前記枠体とを前記平坦面に押圧する圧縮工程と、前記平坦面に押圧された状態で前記板材と前記突起部を除く前記枠体との隙間に接着剤を充填し接合する接合工程と、接合された前記板材と前記枠体とを前記平坦面から係脱する仕上がり工程とを備えた画像読取装置の筐体の製造方法。
【請求項６】
搬送される被読取媒体の画像を読取る画像読取装置の筐体の製造方法であって、前記被読取媒体の搬送方向に平坦面を有する板材及びこの板材を取り囲み搬送方向と平行する面で前記板材に対して複数の突起部で当接した枠体の前記搬送方向と平行する面を平坦面に載置する載置工程と、前記板材と前記枠体とを前記平坦面に押圧する圧縮工程と、前記平坦面に押圧された状態で前記板材と前記突起部を除く前記枠体との隙間に接着剤を充填し接合する接合工程と、接合された前記板材と前記枠体とを前記平坦面から係脱する仕上がり工程とを備えた画像読取装置の筐体の製造方法。
【発明の詳細な説明】
【技術分野】
【０００１】
この発明は、複写機、スキャナー等の画像読み取りや金融端末装置等の紙幣読み取りに使用する画像読取装置の筐体及びその製造方法に関する。
【背景技術】
【０００２】
イメージセンサの被照射体の搬送経路面は光を透過させると共に通過する原稿や紙幣などによる耐擦傷性や被照射体の搬送容易性が要求される。例えば、特開２０００−３１２２８１号公報図１（特許文献１参照）には、透明カバーの表面に画質低下の原因となる傷が発生しないようにするため樹脂成形により製造された透明カバー１の表面１ａに傾斜面１０ａ，１０ｂ及び底面１０ｃを有する凹溝１０を設けたイメージセンサが開示されている。
【０００３】
また、特開２０００−２３６４１５号公報図１（特許文献２参照）には、透明カバー全体の耐衝撃性を高めて割れなどの破損を生じないようにするため樹脂成形することによって作製されたカバー本体１０の凹溝１１に嵌め込まれたガラス２０を設け、カバー１の表面全体が段差のない平面とされているイメージセンサが開示されている。
【先行技術文献】
【特許文献】
【０００４】
【特許文献１】特開２０００−３１２２８１号公報（第１図）
【特許文献２】特開２０００−２３６４１５号公報（第１図）
【発明の概要】
【発明が解決しようとする課題】
【０００５】
しかしながら、特許文献１に記載のものでは、樹脂成形された透明カバー１に傾斜面１０ａ，１０ｂを有する凹溝１０を設けるので凹溝１０を深く形成しても原稿が凹溝１０に引っ掛からないようにすることができるものの、形成された傾斜面１０ａ，１０ｂの傾斜角度にばらつきが生じ依然として凹溝１０内のごミを十分に除去できないという課題がある。
【０００６】
また、特許文献２に記載のものでは、樹脂成形されたカバー本体１０の凹溝１１にガラス２０を嵌め込むので、透明カバー１の表面に発生する傷を発生しないにようにすることが可能であるものの、比較的溝の深い透明カバー１が必要となるので、樹脂成形時にカバー本体１０に歪が発生し、安定した原稿の走行面を得ることが難しいという課題がある。
【０００７】
この発明は、上記のような課題を解消するためになされたものであり、被照射体の搬送経路面に傷の発生やゴミの付着を防止し、搬送経路面に歪がない安定した画像読取装置の筐体及びその製造方法を提供することを目的とする。
【課題を解決するための手段】
【０００８】
この発明に係る画像読取装置の筐体は、搬送される被読取媒体の画像を読取る画像読取装置の筐体であって、前記被読取媒体に照射する光を透過する平板状の透過体と、前記被読取媒体の搬送方向と平行する面で前記透過体に対して複数の突起部で当接された前記透過体を取り囲むように配置した枠体とを備え、前記透過体と前記枠体とは、搬送方向と平行する面が平坦面に押圧された状態で、前記透過体と前記突起部を除く前記枠体との隙間に接着剤が充填されたものである。
また、この発明に係る画像読取装置の筐体は、搬送される被読取媒体の画像を読取る画像読取装置の筐体であって、前記被読取媒体の搬送方向に平坦面を有し前記被読取媒体に照射する光を透過する透過領域を有する板材と、前記被読取媒体の搬送方向と平行する面で前記板材に対して複数の突起部で当接された前記板材を取り囲むように配置した枠体とを備え、前記板材と前記枠体とは、搬送方向と平行する面が平坦面に押圧された状態で、前記板材と前記突起部を除く前記枠体との隙間に接着剤が充填されたものである。
また、この発明に係る画像読取装置の筐体は、搬送される被読取媒体の画像を読取る画像読取装置の筐体であって、前記被読取媒体の搬送方向に平坦面を有する板材と、前記被読取媒体の搬送方向と平行する面で前記板材に対して複数の突起部で当接された前記板材を取り囲むように配置した枠体とを備え、前記板材と前記枠体とは、搬送方向と平行する面が平坦面に押圧された状態で、前記板材と前記突起部を除く前記枠体との隙間に接着剤が充填されたものである。
【０００９】
この発明に係る画像読取装置の筐体の製造方法は、搬送される被読取媒体の画像を読取る画像読取装置の筐体の製造方法であって、前記被読取媒体に照射する光を透過する平板状の透過体及びこの透過体を取り囲み搬送方向と平行する面で前記透過体に対して複数の突起部で当接した枠体の前記搬送方向と平行する面を平坦面に載置する載置工程と、前記透過体と前記枠体とを前記平坦面に押圧する圧縮工程と、前記平坦面に押圧された状態で前記透過体と前記突起部を除く前記枠体との隙間に接着剤を充填し接合する接合工程と、接合された前記透過体と前記枠体とを前記平坦面から係脱する仕上がり工程とを備えたものである。
また、この発明に係る画像読取装置の筐体の製造方法は、搬送される被読取媒体の画像を読取る画像読取装置の筐体の製造方法であって、前記被読取媒体の搬送方向に平坦面を有し前記被読取媒体に照射する光を透過する透過領域を有する板材及びこの板材を取り囲み搬送方向と平行する面で前記板材に対して複数の突起部で当接した枠体の前記搬送方向と平行する面を平坦面に載置する載置工程と、前記板材と前記枠体とを前記平坦面に押圧する圧縮工程と、前記平坦面に押圧された状態で前記板材と前記突起部を除く前記枠体との隙間に接着剤を充填し接合する接合工程と、接合された前記板材と前記枠体とを前記平坦面から係脱する仕上がり工程とを備えたものである。
また、この発明に係る画像読取装置の筐体の製造方法は、搬送される被読取媒体の画像を読取る画像読取装置の筐体の製造方法であって、前記被読取媒体の搬送方向に平坦面を有する板材及びこの板材を取り囲み搬送方向と平行する面で前記板材に対して複数の突起部で当接した枠体の前記搬送方向と平行する面を平坦面に載置する載置工程と、前記板材と前記枠体とを前記平坦面に押圧する圧縮工程と、前記平坦面に押圧された状態で前記板材と前記突起部を除く前記枠体との隙間に接着剤を充填し接合する接合工程と、接合された前記板材と前記枠体とを前記平坦面から係脱する仕上がり工程とを備えたものである。
【発明の効果】
【００１０】
この発明によれば、被読取媒体の搬送経路に位置する領域に耐擦傷性がある透過体を設け、透過体の周囲に安価な樹脂材料を配置し、透過体と樹脂材料との隙間に接着剤を充填したので、原稿傷やゴミの付着を防止し、搬送経路面に平面性が良く歪がない安定した画像読取装置の筐体を得ることができる効果がある。
【００１１】
この発明によれば、前記被読取媒体に照射する光を透過する平板状の透過体及びこの透過体を取り囲み搬送方向と平行する面で前記透過体に対して複数の突起部で当接した枠体の前記搬送方向と平行する面を平坦面に載置する載置工程と、前記透過体と前記枠体とを前記平坦面に押圧する圧縮工程と、前記平坦面に押圧された状態で前記透過体と前記突起部を除く前記枠体との隙間に接着剤を充填し接合する接合工程とを備えたので、原稿傷やゴミの付着を防止し、搬送経路面に平面性が良く歪がない安定した画像読取装置の筐体を得る製造方法が得られる効果がある。
【図面の簡単な説明】
【００１２】
【図１】この発明の実施の形態１による密着型イメージセンサの断面構成図である。
【図２】この発明の実施の形態１による密着型イメージセンサの平面図である。
【図３】この発明の実施の形態１による密着型イメージセンサの駆動系を含む側面図である。
【図４】この発明の実施の形態１による密着型イメージセンサのカバーと透過体との関係を説明する断面図である。
【図５】この発明の実施の形態１による密着型イメージセンサの製造フローであり、図５（ａ）は載置工程、図５（ｂ）は圧縮工程、図５（ｃ）は仕上がり工程を示す。
【図６】この発明の実施の形態１による密着型イメージセンサの実施例２平面図である。
【図７】この発明の実施の形態１による密着型イメージセンサの実施例３平面図である。
【発明を実施するための形態】
【００１３】
実施の形態１．
以下、この発明の実施の形態１について図を用いて説明する。図１は、この発明の実施の形態１による密着型イメージセンサの断面構成図である。図１において、１は原稿や紙幣などの被照射体、２は原稿１を搬送するプラテンローラ、３はＬＥＤなどを付加した導光体や蛍光管から原稿１の読み取り幅方向に亘って光を照射する光源であり、３ａは光源３の光出射部である。４はソーダガラスなどのガラス板で構成した平板の透過体、５は原稿１で反射した反射光を収束するロッドレンズアレイ（レンズ体）、６はレンズ体５で収束された光を受光する受光部（センサＩＣ）、７は受光部６を載置するセンサ基板、８は光源３、レンズ体５及びセンサ基板７を収納又は保持する第１筐体、９は透過体４を保持すると共に透過体４と共に原稿１の搬送経路を形成する樹脂成形されたカバー（第２筐体）、１０はイメージセンサを駆動する入出力コネクタである。図中、同一符号は、同一又は相当部分を示す。
【００１４】
図２は、この発明の実施の形態１による密着型イメージセンサの平面図である。図２において、９ａは中空領域を設けて構成したカバー９の内側に一体成形され、搬送経路面と面一となるように設けられたカバー９の突起部であり、９ｂは原稿１の搬送方向と直交する原稿１の読み取り幅領域に亘って設けられたカバー９の傾斜部である。１１は、カバー９と透過体４との隙間に充填した熱硬化性又は常温硬化性などの接着剤である。図中、図１と同一符号は、同一又は相当部分を示す。
【００１５】
図３は、この発明の実施の形態１による密着型イメージセンサの駆動系を含む側面図である。図３において、８ａは第１筐体８と第２筐体（カバー）９とを嵌合させて固定する取り付け穴、１２はプラテンローラ２を保持し、透過体４とプラテンローラ２との間隙を設定する搬送ガイド、１３は搬送ガイド１２と第１筐体８とを端部で固定するネジなどの固定手段である。図中、図１と同一符号は、同一又は相当部分を示す。
【００１６】
図４は、この発明の実施の形態１による密着型イメージセンサのカバーと透過体との関係を説明する断面図である。図４において、９ｃはカバー９に一体形成して設けられ、第１筐体８と嵌合して固定する位置決め部（位置決めピン）である。図中、図２と同一符号は、同一又は相当部分を示す。
【００１７】
次に透過体４とカバー９とで構成される原稿１の搬送経路平坦性について図５を用いて説明する。図５は、この発明の実施の形態１によるイメージセンサの製造フローであり、図５（ａ）は平坦面に透過体４とカバー９とを載置する載置工程、図５（ｂ）は透過体４とカバー９とを平坦面を基準にして固定する圧縮工程、図５（ｃ）は透過体４とカバー９との間隙に接着剤１１を塗布した仕上がり工程をそれぞれ示す。図５中、図４と同一符号は、同一又は相当部分を示す。
【００１８】
図５（ａ）において、載置工程では平面性の高い定盤や作業台などの基準台３０にシートやテープなどの軟性材料２０を設置し、その上にカバー９を載置し、カバー９の突起部９ａに透過体４を突き当てて軟性材料２０に載置する。また、透過体４の軟性材料２０と接触しない反対面側に傷防止用の保護テープ２１をあらかじめ透過体４に貼り付けておく。
【００１９】
図５（ｂ）に示す圧縮工程では、接着剤１１を収納した搬送方向と平行面に対して移動可能なディスペンサ３２を搭載した金属で構成した圧縮治具３１で透過体４及びカバー９を軟性材料２０に押し付けるように配置し、軟性材料２０の介在で基準台３０の平面度に副った透過体４とカバー９との平坦性を確保する。
【００２０】
次にディスペンサ３２に圧縮空気又は窒素ガスを送り、ディスペンサ３２を走行させて、ディスペンサ３２のノズルから搬送方向を含む矩形平面上にある透過体４とカバー９との間隙に接着剤１１を充填する。接着剤１１の充填は透過体４の軟性材料２０と接触しない反対面側から行うので、カバー９の突起部９ａを除き、透過体４とカバー９の原稿１の搬送面側は接着剤塗布領域を含めて段差の無い状態で均一な平行面を形成する。なお、ディスペンサ３２で接着剤１１を塗布する工程をディスペンス工程と呼ぶ。その後、接着剤１１を硬化させる。接着剤１１が過熱硬化型の場合には加熱炉を用いて硬化させ、紫外線硬化型の場合にはＵＶ炉を用いて硬化させる。
【００２１】
次に仕上がり工程では、図５（ｃ）に示すように圧縮治具３１や保護テープ２１を除去し、その後、透過体４とカバー９との接合体を洗浄する。
【００２２】
次に動作について説明する。光源３から照射された光は、透過体４を通過して、プラテンローラ２で搬送される原稿１を照射する。原稿１で反射した画情報は、反射光として透過体４を介してロッドレンズアレイ５で収束し、ロッドレンズアレイ５で収束した光は受光部６で結像する。原稿１はプラテンローラ２で搬送されるが、給紙側の搬送方向と直交する側は原稿１の搬送ぶれや原稿１の曲がりにより必ずしも搬送方向に平行して給紙されない場合があるので、原稿１の搬送経路の変化を吸収するためにカバー９の読み取り幅方向に亘って端部は傾斜部９ｂを設け、安定した搬送経路を確保する。
【００２３】
また、搬送経路側のカバー９の面と搬送経路側透過体４の面との隙間には、搬送経路を形成する面までカバー９の接着剤１１が塗布されない突起部９ａを除いて接着剤１１が均一に充填されている。したがって、原稿１は搬送経路を障害なく通過する。
【００２４】
以上から実施の形態１によれば、原稿１の搬送経路（走行面）に位置する領域に樹脂より耐擦傷性の高い透過体４を設け、透過体４の周囲に安価な樹脂で構成したカバー９を配置し、透過体４とカバー９との隙間に隙間部分を補うように接着剤１１を透過体４とカバー９との間に充填したので、搬送経路面は平坦となる。したがって、平面性が良く歪がない安定した密着型イメージセンサを得ることができると共にカバー９の端部には傾斜部９ｂを設けたので原稿１に搬送ぶれがあっても安定した給紙が可能である。さらに、透過体４を耐擦傷性の高いガラス板で構成したので、原稿１による擦傷がなく、良好な読み取り画質を安定に得ることが可能である。
【００２５】
また、透過体４とカバー９との間隙にディスペンサ３２で均一に接着剤１１を塗布するので、第１筐体８と透過体４を接合したカバー９との間で密閉空間を形成することになり、光源３やレンズ体５に付着する異物の侵入がないので安定したイメージセンサの光学性能を維持できる。さらに第１筐体８とカバー９とをカバー９に設けた位置決めピン９ｃで着脱可能にしたので原稿１の搬送経路に設定経路の変更があってもカバー９の傾斜部９ｂの傾斜角度を容易に変更できるという効果もある。
【００２６】
実施の形態１では、カバー９に局部的に複数の突起部９ａを設けたが、図６に示すようにカバー９に替えてカバー９０を用いて波形の複数の突起部９０ａを用いて突起部としても相応の効果がある。
【００２７】
実施の形態１では、カバー９の位置決めピン９ｃに対して、第１筐体８に位置決めピン９ｃが入る取り付け穴８ａを設けたが、２辺の長尺方向の直線上に２箇所の位置決めピン９ｃ及び取り付け穴８ａを設け、直線上に２箇所に設ける取り付け穴８ａの一方を直線上方向に長穴形状にすることにより、長穴部分で温度変化による第１筐体８及びカバー９との線膨張係数の違いによる寸法変化で発生する応力を緩和できる。
【００２８】
実施の形態１では、透過体４はソーダガラスなどのガラス板で構成したが、ポリメタクリル酸メチル樹脂（ＰＭＭＡ）等の高硬度樹脂でもよい。
【００２９】
実施の形態１では、透過体４の形状は矩形平面としたが、図７に示すように透過体４に替えて透過体４０を用いてカバー９の突起部９ａに対向する位置に凹み部４０ａを設けることにより、透過体４０の位置決めが容易になると共に透過体４０の接着面積が増加し透過体４０とカバー９との接合力が増加する効果がある。図中、図２と同一符号は、同一又は相当部分を示す。
【符号の説明】
【００３０】
１・・・被照射体（紙幣や原稿等）  ２・・・プラテンローラ
３・・・光源  ３ａ・・・光出射部
４・・・透過体（ガラス板）
５・・・レンズ体（ロッドレンズアレイ）
６・・・受光部（センサＩＣ）  ７・・・センサ基板
８・・・第１筐体    ８ａ・・・取り付け穴部  ９・・・第２筐体（カバー）
９ａ・・・突起部  ９ｂ・・・傾斜部  ９ｃ・・・位置決め部（位置決めピン）
１０・・・コネクタ（入出力コネクタ）
１１・・・接着剤
１２・・・プラテンガイド（搬送ガイド）  １３・・・ネジ（固定手段）
２０・・・軟性材料  ２１・・・保護テープ
３０・・・基準台（定盤）  ３１・・・圧縮治具  ３２・・・ディスペンサ
４０・・・透過体  ４０ａ・・・凹み部
９０・・・第２筐体（カバー）  ９０ａ・・・突起部  ９０ｂ・・・傾斜部
【図１】
0005246366.tif 000002
【図２】
0005246366.tif 000003
【図３】
0005246366.tif 000004
【図４】
0005246366.tif 000005
【図５】
0005246366.tif 000006
【図６】
0005246366.tif 000007
【図７】
0005246366.tif 000008